(57)【要約】      （修正有）【課題】商品を保護する全ての面において十分な強度を有する商品パッケージ用ブランク、及び該ブランクを組み立てて形成される商品パッケージ用ブランクを提供する。【解決手段】第１の帯状部材と、側辺の一部である連結辺を第１の帯状部材の側辺の一部と共有することによって第１の帯状部材に連設された帯状部材であって、該連結辺と組み合わせて三角形が形成されるように設けられた折れ線及び切り込み線を有する第２の帯状部材とを備える。【選択図】図１
0003180641.tif 000002
【実用新案登録請求の範囲】
【請求項１】
a) 第１の帯状部材と、
b) 側辺の一部である連結辺を前記第１の帯状部材の側辺の一部と共有することによって前記第１の帯状部材に連設された帯状部材であって、該連結辺と組み合わせて三角形が形成されるように設けられた折れ線及び切り込み線を有する第２の帯状部材と、
を備えることを特徴とする商品パッケージ用ブランク。
【請求項２】
前記第１の帯状部材と前記第２の帯状部材が、それぞれの両端部に互いの端部を接続した状態で固定するための係合手段を有することを特徴とする請求項１に記載の商品パッケージ用ブランク。
【請求項３】
前記連結辺と前記折れ線がなす角が45度であることを特徴とする請求項１または２に記載の商品パッケージ用ブランク。
【請求項４】
前記第１の帯状部材及び／又は第２の帯状部材のそれぞれの側辺に垂直な方向に折れ線が設けられていることを特徴とする請求項１から３のいずれかに記載の商品パッケージ用ブランク。
【請求項５】
前記第１の帯状部材又は第２の帯状部材に開口が形成されていることを特徴とする請求項１から４のいずれかに記載の商品パッケージ用ブランク。
【請求項６】
第１の帯状部材又は第２の帯状部材の、商品を収容した際に上部となる位置の対向する側辺に取っ手部が延設されていることを特徴とする請求項１から５のいずれかに記載の商品パッケージ用ブランク。
【請求項７】
請求項１から６のいずれかに記載の商品パッケージ用ブランクを組み立てて形成される商品パッケージ。
【考案の詳細な説明】
【技術分野】
【０００１】
本考案は、商品パッケージ用ブランク及び商品パッケージに関する。特に、缶、ペットボトル、ビン、あるいはスパウト付き容器等を複数収容するために好適に用いることができる商品パッケージ用ブランク、及び該ブランクを組み立てて形成される商品パッケージに関する。
【背景技術】
【０００２】
複数本の飲料缶やビンなどを１組の商品にして販売する場合、それらは商品パッケージに収容される。このような商品パッケージの多くは１枚の紙製、プラスチック製等のブランクから形成される（例えば特許文献１）。
【０００３】
特許文献１に記載の商品パッケージは、商品（複数の飲料缶など）に１枚の細長いブランクを上下方向に巻き付け、その両端を接合したもので、商品を４面（上面、底面、及び対向する前後側面）で保持し、左右の開放端面では各面から延出されたタブを係合することにより形成される端部パネルにより商品を保持している。
【先行技術文献】
【特許文献】
【０００４】
【特許文献１】特開平6-219438号公報
【考案の概要】
【考案が解決しようとする課題】
【０００５】
上記のような商品パッケージでは、商品を周回している４面（上面、底面、及び対向する前後側面）においては十分な強度を有するが、タブを係合しただけの端部パネルは強度が十分でない。そのため、商品を収容した状態でこの方向に揺れが生じると、端部パネルが破損して商品が飛び出してしまう場合がある。
【０００６】
本考案が解決しようとする課題は、商品を保護する全ての面において十分な強度を有する商品パッケージ用ブランク、及び該ブランクを組み立てて形成される商品パッケージを提供することである。
【課題を解決するための手段】
【０００７】
上記課題を解決するために成された本考案に係る商品パッケージ用ブランクは、
a) 第１の帯状部材と、
b) 側辺の一部である連結辺を前記第１の帯状部材の側辺の一部と共有することによって前記第１の帯状部材に連設された帯状部材であって、該連結辺と組み合わせて三角形が形成されるように設けられた折れ線及び切り込み線を有する第２の帯状部材と、
を備えることを特徴とする。
【０００８】
本考案に係る商品パッケージ用ブランクは、以下のようにして商品パッケージに組み立てる。まず、第１の帯状部材の両端部を接合して第１の筒状体を形成する。続いて、第２の帯状部材に設けられた折れ線を折り曲げ、第２の帯状部材を第１の帯状部材と交差させる。その後、第１の帯状部材と第２の帯状部材の中に商品を収容し、第２の帯状部材の両端部を接合して第２の筒状体を形成する。こうして形成される商品パッケージでは、第１の筒状体と第２の筒状体が互いに異なる方向に周回して商品を保護する。従って、商品を保護する全ての面において十分な強度を有する。
【０００９】
前記第１の帯状部材と前記第２の帯状部材は、それぞれの両端部に互いの端部を接続した状態で固定するための係合手段を有することが望ましい。係合手段は、例えば、帯状部材の両端にそれぞれ延設された、切込線を有する２つの係止片とすることができる。この場合には、２つの係止片を互いの切込線に差し込むことによって、帯状部材の両端部を接続した状態で固定する。また、係合手段は、帯状部材の一端に延設された係止片と、他端側に形成された挿入孔としてもよい。この場合には、係止片を挿入孔に差し込んで固定する。これにより、第１の帯状部材と第２の帯状部材から筒状体を形成する際に、粘着テープや粘着剤、接着剤等を用いて両端部を接合する必要がなくなる。
【００１０】
前記連結辺と前記折れ線がなす角は45度であることが望ましい。これにより、組み立て時に折れ線を折り曲げた際、第２の帯状部材を第１の帯状部材と直交させることができる。これにより、収容物である商品の保護・保持がより確実となる。なお、連結辺と切り込み線がなす角は必ずしも45度である必要はない。
【００１１】
前記第１の帯状部材及び／又は第２の帯状部材には、それぞれ側辺に垂直な方向に折れ線を設けてもよい。これにより、商品パッケージの組み立てが容易となると共に、角形商品の保持・保護がより確実となる。
【００１２】
前記第１の帯状部材又は第２の帯状部材には開口を形成しておくことができる。これにより、ビンのように肩部と首部を有する形状の商品を収容する際に、該開口に首部を挿入し、第１の筒状体又は第２の筒状体によって商品を底部と肩部で確実に保持することができる。
【００１３】
第１の帯状部材又は第２の帯状部材の、商品を収容した際に上部となる位置の対向する側辺に取っ手部を延設しておくことができる。取っ手部は、例えば、両端が帯状部材に連結された半円状の部材とすることができる。これにより、該取っ手を用いて容易に商品を運搬することができる。
【考案の効果】
【００１４】
本考案に係る商品パッケージ用ブランクを組み立てて形成される商品パッケージでは、第１の筒状体と第２の筒状体が互いに異なる方向に周回して商品（被収容物）を保護・固定する。従って、商品を保護する全ての面において十分な強度を有する。
【図面の簡単な説明】
【００１５】
【図１】本考案に係る商品パッケージ用ブランクの実施例１について説明する図。
【図２】実施例１の商品パッケージ用ブランクの組み立て方を説明する図。
【図３】実施例１の商品パッケージにスパウト付き容器を収容した状態を示す図。
【図４】本考案に係る商品パッケージ用ブランクの実施例２について説明する図。
【図５】実施例２の商品パッケージ用ブランクを組み立てた状態を示す図。
【図６】本考案に係る商品パッケージ用ブランクの変形例について説明する図。
【考案を実施するための形態】
【００１６】
本考案に係る商品パッケージ用ブランク及び該ブランクを組み立てて形成される商品パッケージに関する複数の実施例について、以下、図面を参照して説明する。
【実施例１】
【００１７】
図１に実施例１のブランクを示す。実施例１のブランクは第１の帯状部材１と第２の帯状部材２により構成されている。第１の帯状部材には、補助片１１、第１上面部１２、第１側面部１３、底面部１４、第２側面部１５、第２上面部１６、及び第１係止片１７が、折れ線（図中の１点鎖線）を介して順に延設されている。また、第１上面部１２及び第２上面部１６の中央部には開口１２a及び１６aが設けられており、第１上面部１２と第１側面部１３の境界部には挿入孔１２bが形成されている。
【００１８】
第２の帯状部材には、第２係止片２１、第１マチ部２２、第３側面部２３、第２マチ部２４、連結部２５、第３マチ部２６、第４側面部２７、第４マチ部２８、及び第３係止片２９が、折れ線（図中の１点鎖線）を介して順に延設されている。第２係止片２１、及び第３係止片２９には、それぞれ切り込み線２１a、２９aが形成されている。
第１の帯状部材１と第２の帯状部材２とは、第２帯状部材の連結部２５の一辺である連結辺２５aを第１の帯状部材１の第２側面部の側辺の一部と共有することにより連結されている。また、連結部２５には、前記連結辺２５aと組み合わせて直角二等辺三角形状の捻転部２５１が形成されるように、連結部折れ線２５bと連結部切り込み線２５cが形成されている。なお、理解を容易にするため、各図面では、捻転部２５１にハッチングを付している。
【００１９】
実施例１の商品パッケージ用ブランクの組み立て方について、図２を参照して説明する。まず、第１の帯状部材１の折れ線を順に折り、第１上面部１２及び第２上面部１６を重ね合わせ、第１係止片１７を挿入孔１２bに挿入することにより、第１の筒状体１０を形成する（図２(a)）。続いて、連結辺２５a及び折れ線２５bを折り畳み、第２の帯状部材２を第１の筒状体１０の内面に挿入する（図２(b)）。最後に、第２の帯状部材２の折れ線を順に折り、第２係止片２１と第３係止片２９をこれらの係止片に設けられた切り込み線２１a、２９aに差し込んで両端部を接続する。これにより、第１の筒状体１０と直交する方向に周回する第２の筒状体２０が形成されて商品パッケージとなる。なお、図２(b)及び図２(c)において点線で示した箇所は第１の筒状体１０の内部透視線である。
【００２０】
実施例１に係る商品パッケージにスパウト付き容器３０を収容した状態を図３に示す。図３(a)は斜視図、図３(b)は正面図、図３(c)は側面図である。スパウト付き容器３０は、近年、ゼリー飲料用の容器や清涼飲料水用の容器として広く用いられている。実施例１に係る商品パッケージでは、第１上面部１２及び第２上面部１６にそれぞれ開口が設けられている。従って、スパウト付き容器を収容する際には、スパウト３１を該開口に挿入し、本体部を筒状体内部に収容する。これにより、第１の筒状体１０によってスパウト付き容器３０の底部と肩部を確実に保持することができる。図３にはスパウト付き容器３０を収容した例を示しているが、他にもビンのように肩部と首部を有する形状の商品を収容する際には、この開口に首部を挿入することによって、同様に商品の底部と肩部を確実に保持することができる。
【００２１】
以上、説明したように、実施例１に係る商品パッケージでは、第１の筒状体１０と第２の筒状体２０が互いに直交する方向に周回して商品を保護・固定する。従って、商品を保護する全ての面において十分な強度を有する。
【実施例２】
【００２２】
以下、本考案に係る商品パッケージ用ブランク及び該ブランクを組み立てて形成される商品パッケージの実施例２について、図面を参照して説明する。上述した実施例１と同一の構成要素には同一の符号を付して説明を省略する。また、組み立て方法についても、実施例１と同じ手順の説明は省略する。
図４に実施例２に係る商品パッケージ用ブランクを示す。実施例１とは、第１上面部１２の対向する側辺に、半円状の取っ手部材１２c、１２dが連結されている点で異なっている。これらの取っ手部材１２c、１２dには係合部が形成されている。
まず、第１の筒状体１０と第２の筒状体２０とを上述した実施例１と同じ手順で組み立てる。最後に、取っ手部材１２c、１２dに形成されている係合部をかみ合わせることによって取っ手部が完成する（図５）。この実施例２のように取っ手部を形成しておくことにより、該取っ手を用いて用意に商品を運搬することができる。
【００２３】
上記実施例１及び２はいずれも一例であって、本考案の趣旨に沿って適宜変更や修正を行うことが可能である。
上記実施例はいずれも、第１の帯状部材と第２の帯状部材が略矩形状を有するものであったが、必ずしも略矩形状とする必要はない。例えば、図６に示すブランクのように、商品が載置される底面部の面積を上面部の面積よりも広くしてもよい。図６に示すブランクでは、第１の帯状部材に補助片３１、第１上面部３２、第１側面部３３、底面部３４、第２側面部３５、第１係止片３７が、折れ線を介して順に延設されている。これらのうち、第１側面部３３及び第２側面部３５はそれぞれ台形状を有しており、第１係止片３７を挿入する挿入孔は補助片３１と第１上面部３２の間に設けられている。また、第２上面部を設けない点や上面部に開口を設けていない点においても上記実施例とは異なる。例えば、複数の缶を収容する場合には、開口部を設ける必要はない。このように、収容する商品の大きさや重量、形状等を考慮して、適宜に帯状部材の形状や素材を変更することができる。なお、このように略矩形状ではない帯状部材を用いる場合には、第１の帯状部材の中心線３a（図中の２点鎖線）と折れ線２５bがなす角を45度とすることにより、第２の帯状部材２を第１の帯状部材３からなる第１の筒状体に対して垂直な方向に周回させることができる。
【００２４】
また、上記実施例のブランクは、第１の帯状部材と第２の帯状部材がそれぞれ折れ線を介して各部を延設するものであったが、必ずしも折れ線を形成しておく必要はない。例えば、球形状の商品を収容する場合には、第１の帯状部材、第２の帯状部材のいずれにも折れ線を設けず、第１の筒状体、第２の筒状体をそれぞれ円筒形状に周回させることにより、商品を確実に保護することができる。
【符号の説明】
【００２５】
１、３…第１の帯状部材
２…第２の帯状部材
３a…第１の帯状部材の中心線
１０…第１の筒状体
２０…第２の筒状体
１１、３１…補助片
１２、３２…第１上面部
１２a…開口
１２b、３１b…挿入孔
１２c、１２d…取っ手部材
１３…第１側面部
１４…底面部
１５…第２側面部
１６…第２上面部
１７…第１係止片
２１…第２係止片
２１a、２５c、２９a…切り込み線
２２…第１マチ部
２３…第３側面部
２４…第２マチ部
２５…連結部
２５１…捻転部
２５a…連結辺
２５b…折れ線
２６…第３マチ部
２７…第４側面部
２８…第４マチ部
２９…第３係止片
３０…容器
３１…スパウト
【図１】
0003180641.tif 000003
【図２】
0003180641.tif 000004
【図３】
0003180641.tif 000005
【図４】
0003180641.tif 000006
【図５】
0003180641.tif 000007
【図６】
0003180641.tif 000008